(57)【要約】【課題】  空気調和機の室内機の上部に障害物がある場合でも、空気の吸込みの低下を抑えることができる空気調和機の室内機を提供する。【解決手段】  空気調和機の室内機は、室内機本体の上面に設けられた上面吸込口と、前記室内機本体の下面に設けられた下面吸込口と、前記上面吸込口の内側に設けられた上面空気清浄フィルタと、前記下面吸込口の内側に設けられた下面空気清浄フィルタと、を有し、前記上面吸込口における空気を吸込む空気吸込み面の面積が、上記下面吸込口における空気吸込み面の面積よりも大きく、前記上面空気清浄フィルタの面積が前記下面空気清浄フィルタの面積よりも大きい。【選択図】  図２
2020041732.tif 000002
【特許請求の範囲】
【請求項１】
室内機本体の上面に設けられた上面吸込口と、
前記室内機本体の下面に設けられた下面吸込口と、
前記上面吸込口の内側に設けられた上面空気清浄フィルタと、
前記下面吸込口の内側に設けられた下面空気清浄フィルタと、を有し、
前記上面吸込口における空気を吸込む空気吸込み面の面積が、上記下面吸込口における空気吸込み面の面積よりも大きく、前記上面空気清浄フィルタの面積が前記下面空気清浄フィルタの面積よりも大きい、空気調和機の室内機。
【請求項２】
前記上面吸込口の前記空気吸込み面および前記上面空気清浄フィルタは、傾斜している、請求項１に記載の空気調和機の室内機。
【請求項３】
前記下面吸込口の前記空気吸込み面および前記下面空気清浄フィルタは、傾斜している、請求項１または２に記載の空気調和機の室内機。
【請求項４】
前記上面吸込口または前記下面吸込口から吸い込んだ空気を前面側に吹き出す吹出し口を有する、請求項１〜３のいずれか１項に記載の空気調和機の室内機。
【請求項５】
前記上面吸込口または前記下面吸込口から前記吹出し口へ空気が通過する経路の中に設けられたイオン発生装置を有する、請求項４に記載の空気調和機の室内機。
【発明の詳細な説明】
【技術分野】
【０００１】
本発明は、空気清浄機能を備えた空気調和機の室内機に関する。
【背景技術】
【０００２】
例えば、特許文献１には、空気清浄機能を有する、下面に空気の吸込口を備えた下吸込み型の空気調和機の室内機が提案されている。
【先行技術文献】
【特許文献】
【０００３】
【特許文献１】特開２００７−２８５５３３号公報
【発明の概要】
【発明が解決しようとする課題】
【０００４】
しかしながら、特許文献１の空気調和機の室内機では、例えば、空気調和機の室内機の下に家具等の障害物が配置される場合があり、室内機と障害物との間の空間が狭く、下面の吸込口から十分に空気を吸込めない場合があった。また、近年、上下面のそれぞれに吸込口を備えた上下吸込み型の空気調和機もあるが、例えば、室内機の下に配置された障害物を避けるために室内機を天井近くに配置される等、上面の吸込口において、天井等の障害物が原因で十分な空気を吸込めない場合があった。このように、十分空気を吸込めない場合には、空気清浄効果が低下することがあった。本発明の一形態は、室内機の上部に障害物がある場合でも、空気の吸込みの低下を抑えることができる空気調和機の室内機を提供することを目的とする。
【課題を解決するための手段】
【０００５】
本発明の一形態の空気調和機の室内機は、室内機本体の上面に設けられた上面吸込口と、前記室内機本体の下面に設けられた下面吸込口と、前記上面吸込口の内側に設けられた上面空気清浄フィルタと、前記下面吸込口の内側に設けられた下面空気清浄フィルタと、を有し、前記上面吸込口における空気を吸込む空気吸込み面の面積が、上記下面吸込口における空気吸込み面の面積よりも大きく、前記上面空気清浄フィルタの面積が前記下面空気清浄フィルタの面積よりも大きい。
【発明の効果】
【０００６】
本発明の一態様によれば、空気の循環性能の低下を抑制することができる室内機を提供することができる。
【図面の簡単な説明】
【０００７】
【図１】第１の実施形態にかかる空気調和機の室内機の外観を示す斜視図である。
【図２】図１に示す空気調和機の室内機の縦断面図である。
【図３】第１の実施形態にかかる空気調和機の室内機による、空調空間での空気の流れ（上吸込み）を示す説明図である。
【図４】第１の実施形態にかかる空気調和機の室内機による、空調空間での空気の流れ（下吸込み）を示す説明図である。
【図５】第１の実施形態にかかる空気調和機の室内機による、空調空間での空気の流れ（上下吸込み）を示す説明図である。
【図６】空気調和機の室内機の上面に障害物がある場合の空調空間での空気の流れ（上吸込み）を示す説明図である。
【図７】空気調和機の室内機の上面に障害物がある場合の空調空間での空気の流れ（上下吸込み）を示す説明図である。
【図８】実施形態１にかかる室内機の要部の構成を示す概念図である。
【図９】実施形態２にかかる室内機の要部の構成を示す概念図である。
【図１０】実施形態３にかかる室内機の要部の構成を示す概念図である。
【図１１】実施形態４にかかる室内機の要部の構成を示す概念図である。
【図１２】実施形態５にかかる室内機の要部の構成を示す概念図である。
【図１３】実施形態６にかかる室内機の要部の構成を示す概念図である。
【発明を実施するための形態】
【０００８】
以下、本発明の実施形態について、図面を参照しつつ説明する。なお、図面については、同一又は同等の要素には同一の符号を付し、重複する説明は省略する。
【０００９】
（第１の実施形態）
図１は、本実施の形態に係る空気調和機の室内機１の外観を示す正面図である。図２は、図１に示す空気調和機の室内機１のＩＩ−ＩＩ矢視断面図である。
【００１０】
図１、図２に示すように、空気調和機の室内機１は、室内機本体２と、室内機本体２の前面に配置される導風板３とを備えている。室内機本体２の内部には、送風機３１、熱交換器３２、イオン発生装置３３等が設けられている。なお、室内機本体２を前面（正面）から見て幅方向を左右方向とし、室内機本体２の奥行き方向を前後方向とし、室内機本体２の高さ方向を上下方向とする。
【００１１】
室内機本体２の前面には吹出し口３４が設けられており、吹出し口３４には前記した導風板３が設けられている。室内機本体２の上面には上面吸込口１１が設けられ、室内機本体の下面には下面吸込口２１が設けられている。室内機本体２の内部には、上面吸込口１１から吹出し口３４に至る上空気通路と、下面吸込口２１から吹出し口３４に至る下空気通路とが形成され、上空気通路と下空気通路とが共通する部分に、送風機３１と熱交換器３２とイオン発生装置３３とが配置されている。
【００１２】
また、室内機１は、上面吸込口１１の内側に、通過する空気を清浄化する上面フィルタ１２（上面空気清浄フィルタ）を有し、下面吸込口２１の内側に、通過する空気を清浄化する下面フィルタ２２（下面空気清浄フィルタ）を有している。
【００１３】
上面フィルタ１２および下面フィルタ２２は、これらフィルタを通過する空気中に含まれる微塵埃を捕集して除去する空気清浄フィルタであり、粗塵埃を捕集して除去する、いわゆるプレフィルタと称される集塵フィルタよりも高性能で厚みが厚く、通風抵抗が大きいフィルタである。上面フィルタ１２および下面フィルタ２２としては、例えばＨＥＰＡフィルタ(High Efficiency Particulate Air Filter)、ＵＬＰＡ（Ultra Low Penetration Air Filter）等が用いられ、目的および必要とする性能に応じて、任意に選択すればよい。ＨＥＰＡフィルタは、例えば３０ｍｍもの厚みを有し、微塵埃の捕集率（空気清浄率）および微塵埃の除去効率（空気清浄効率）が高く、好ましい。
【００１４】
室内機１では、送風機３１を回転させることにより、上面吸込口１１から吸い込まれた空気は、上面フィルタ１２、送風機３１、熱交換器３２およびイオン発生装置３３を経て吹出し口３４から吹き出される。また、下面吸込口２１から吸い込まれた空気は、下面フィルタ２２、送風機３１、熱交換器３２およびイオン発生装置３３を経て吹出し口３４から吹き出される。これら吹出される空気（風）は、イオン発生装置３３にて発生したイオンを含んでいる。このイオンを含む風により、空調空間における菌類、細菌又はウイルス等が不活性化し、空調空間を清浄化することができる。イオン発生装置３３の位置は、吹出す空気にイオンを含ませることができればよく、特に限定されるものではない。
【００１５】
送風機３１は、例えばシロッコファンあるいはターボファンからなる。熱交換器３２は、送風機３１の前方位置（送風機３１よりも室内機１の前面側位置）に配置されている。この熱交換器３２を通過する空気が、熱交換器３２によって冷却、加熱されることにより、空気調和機における、冷房、除湿、暖房等の空気調和運転が行われる。
【００１６】
室内機１は、典型的には、上面吸込口１１から空気を吸込む上吸込み、下面吸込口２１から空気を吸込む下吸込み、または、上面吸込口１１および下面吸込口２１からそれぞれ空気を吸込む上下吸込み等による空気清浄が可能である。室内機１は、冷房、除湿、暖房等の空気調和運転と併せて空気清浄運転を行うことができる。また、空気清浄運転のみを行うこともできる。室内機１では、空気調和運転および／または空気清浄運転時に、吹出し口３４から吹出される空気の吹出方向に応じて上吸込み、下吸込みまたは上下吸込み等が行われる。吹出し口３４から吹出される空気の吹出し方向は、上述の導風板３を動作させることにより変更することができる。
【００１７】
ここで、室内機１における上述の上吸込み、下吸込み、上下吸込みについて、図３、図４、図５を参照して説明する。図３は、室内機１により、上吸込みを説明するための図である。図４は、室内機１により、下吸込みを説明するための図である。図５は、室内機１により、上下吸込みを説明するための図である。これら上吸込み、下吸込み、上下吸込みは、吹出し口３４から吹出される空気（風）の向きにより、優位になる吸込みの典型的な例を示すものである。
【００１８】
上吸込みの場合、室内機１では、図３に矢印で示すように、吹出し口から空気（風）を床に向かって下向きに吹き出し、舞い上がってきた塵埃を空気とともに上面吸込口から吸込む。この場合、吹出し口から吹き出された空気と、上面吸込口から吸い込まれた空気との接触が少なく、効率良く空気清浄を行うことができる。
【００１９】
下吸込みの場合、室内機１では、図４に矢印で示すように、吹出し口から空気を天井に向かって上向きに吹き出し、天井および壁を伝って床まで流れた空気は、室内機１の下面に設けられた下面吸込口から吸い込まれる。この場合、吹出し口から吹出された空気と、下面吸込口から吸い込まれた空気との接触が少なく、効率良く空気清浄を行うことができる。
【００２０】
上下吸込みの場合、室内機１では、図５に矢印で示すように、吹出し口から空気を床に向かって下向きに吹出し、室内機１から見て、床に吹出した空気よりも奥側に舞い上がってきた塵埃を、室内機１の上面に設けられた上面吸込口から吸込む。一方、室内機１から見て、床に吹出した空気よりも手前側に舞い上がってきた塵埃を、室内機１の下面に設けられた下面吸込口から吸込む。この場合、吹出し口から吹出された空気は、上面吸込口および下面吸込口の両方から吸い込まれるため、効率的に空気清浄を行うことができる。
【００２１】
また、室内機１は、例えば天井近く等、空調空間における相対的に高い位置に設けられる。特に、室内機１の真下に家具等の障害物がある場合には、空調空間における相対的に高い位置に設けられる傾向がより高くなる。このため、室内機１の上面に設けた上面吸込口では、例えば、図６、図７に示すように、天井が障害物となって、相対的に下面よりも空気の吸込み量が低下する可能性があり、吸込み量の増加が求められる。
【００２２】
図８は、本実施形態にかかる室内機１の要部の構成を示す概念図である。図２および図８に示すように、上面吸込口１１の空気の吸込み面（以下、「上吸込み面」と称する）の面積および上面吸込口１１の内側に配置されている上面フィルタ１２の面積は、下面吸込口２１の空気の吸込み面（以下、「下吸込み面」と称する）の面積および下面吸込口２１の内側に配置されている下面フィルタ２２の面積よりも大きい。また、上面吸込口１１および下面吸込口２１は水平に形成されており、上面フィルタ１２および下面フィルタ２２は水平に配置されている。また、例えば、上面フィルタ１２および下面フィルタ２２は、上面フィルタ１２の幅をＬ１２とし、下面フィルタ２２の幅をＬ２２とすると、Ｌ１２＞Ｌ２２となるように設計されている。なお、上吸込み面の面積および上面フィルタ１２の面積は、下吸込み面の面積および下面フィルタ２２の面積より大きければよく、例えば、室内機本体２の上面および下面の大きさ、上面吸込口１１および上面フィルタ１２に隣接する部材の形状、該部材との間の隙間の大きさ、等を含むデザイン、室内機本体２の寸法等を考慮して設定すればよく、特に限定されない。
【００２３】
本実施形態によれば、室内機１は、上面吸込み面の面積が下吸込み面の面積よりも大きくなっており、上面フィルタ１２の面積が下面フィルタ２２の面積よりも大きくなっているため、例えば図６、図７に示すように室内機１の上部に障害物があったとしても、上面吸込口１１から空気を吸込み易くなる。これにより、上面吸込口１１からの空気の吸込み量を増やすことができ、吹出し口３４から吹出される風量が増加する。したがって、空気の循環性能の低下を抑制することができる室内機を提供することができる。さらに、風量が増加するため、吹出し口３４から吹出される空気を遠くまで届かせることができ、空調空間（空気清浄空間）における空気の清浄率を向上させることができる。
【００２４】
（第２の実施形態）
次に、本発明の第２の実施形態を説明する。なお、下記において上記第１の実施形態と同様である点については説明を省略する。
【００２５】
図９は、本実施形態にかかる室内機１の要部の構成を示す概念図である。本実施形態にかかる室内機１は、図９に示すように、上面吸込口面は、上面吸込口面における室内機本体２の前面側が下方に位置するように傾斜している。より具体的には、上面吸込口１１は、上吸込み面における室内機本体２の前面側の端部１１ａが上吸込み面における室内機本体２の後面側の端部１１ｂよりも下方に位置するように傾斜している。また、上面フィルタ１２は、上面フィルタ１２の上面吸込口１１との対向面における室内機本体２の前面側の端部１２ａが上記対向面における室内機本体２の後面側の端部１２ｂよりも下方に位置するように傾斜している。言い換えれば、上面フィルタ１２は、上面フィルタ１２における室内機本体２の前面側が下方に位置するように傾斜している。本実施形態にかかる室内機１は、この点で、第１の実施形態にかかる室内機１と異なっている。
【００２６】
室内機１は、上吸込み面および上面フィルタ１２が上述したように傾斜していることで、室内機１の上部に、天井等の障害物があったとしても、上面吸込口１１と障害物との隙間を確保し、風（空気）の通り路を広げることができる。また、上吸込み面および上面フィルタ１２が上述したように傾斜していることで、上面フィルタ１２が直線状に配置されているにも拘らず、室内機１の吸込みの速度ベクトルは、垂直方向（下方向）のみならず、水平方向にも構成される。このため、例えば第１の実施形態のように、室内機１の吸込みの速度ベクトルがほぼ垂直方向（下方向）に構成されている場合と比較して、空気を吸込み易くなる。したがって、吹出し口３４から吹出される風量が増加させることができるため、例えば室内機１の上部に障害物があったとしても、空気の循環性能の低下を抑制することができる。さらに、風量を増加させられるため、吹出し口３４から吹出される空気を遠くまで届かせることができ、空調空間（空気清浄空間）における空気の清浄率を向上させることができる。
【００２７】
また、上吸込み面および上面フィルタ１２が上述したように傾斜していることで、図９に示すように、上面吸込口１１における、傾斜方向の幅Ｌ１１（言い換えれば、上面吸込口１１における、室内機本体２の前面側の端部１１ａと後面側の端部１１ｂとの間の長さ）が、上面吸込口１１における、上記傾斜方向の水平面への投影幅Ｌ１１’（言い換えれば上面吸込口１１における、室内機本体２の前面側の端部１１ａと後面側の端部１１ｂとの間の水平方向の長さ）よりも大きくなる。つまり、Ｌ１１＞Ｌ１１’となる。
【００２８】
このため、上吸込み面および上面フィルタ１２が上述したように傾斜していることで、例えば第１の実施形態のように、上吸込み面が水平に形成されており、上面フィルタ１２を水平に配置した場合と比較して、それぞれの上吸込み面の水平方向の幅（Ｌ１１’）が同じであっても、上吸込み面の開口幅（開口面積）を広げることができる。このため、上面吸込口１１から吸い込まれる空気の量を増加させることができる。したがって、吹出し口３４から吹出される風量を増加させることができるため、例えば室内機１の上部に障害物があったとしても、空気の循環性能の低下を抑制することができる。さらに、風量が増加するため、吹出し口３４から吹出される空気を遠くまで届かせることができ、空調空間（空気清浄空間）における空気の清浄率を向上させることができる。
【００２９】
なお、本実施形態において、上吸込み面の傾斜角度と上面フィルタ１２の傾斜角度とは、同じであることが望ましいが、異なっていても構わない。上吸込み面の傾斜角度および上面フィルタ１２の傾斜角度は、それぞれ大きければ大きいほど、上述した効果が大きくなることから望ましい。但し、上述したように上吸込み面および上面フィルタ１２を傾斜させるためには、例えば、上面吸込口１１および上面フィルタ１２に隣接する部材（例えば送風機３１、熱交換器３２等）との隙間を小さくしたり、これら上面吸込口１１および上面フィルタ１２に隣接する部材の形状を変更したりする必要がある。あるいは、室内機本体２の寸法を大きくする必要がある。このため、室内機１を規定寸法内に収めるためには、上吸込み面の傾斜角度および上面フィルタ１２の傾斜角度は、それぞれ２０度以下に設定されていることが望ましい。また、本実施形態では上面吸込み面および上面フィルタ１２が、上面吸込み面および上面フィルタ１２における室外機の前面側が下方になるように傾斜させているが、上面吸込み面および上面フィルタ１２における室外機の前面側が上方になるように傾斜させてもよい。
【００３０】
本実施形態によれば、上吸込み面および上面フィルタ１２を傾斜させることにより、例えば上記第１の実施形態の室内機のように、上吸込み面が水平に形成されており、上面フィルタ１２を水平に配置した場合と比較して、上面吸込口１１における空気の吸込み量を増加させることができ、空気の循環性能の低下を抑制することができる。
【００３１】
（第３の実施形態）
次に、本発明の第３の実施形態を説明する。なお、下記において上記第１または第２の実施形態と同様である点については説明を省略する。
【００３２】
図１０は、本実施形態にかかる室内機１の要部の構成を示す概念図である。本実施形態にかかる室内機１は、図１０に示すように、下吸込み面は、下吸込み面における室内機本体２の前面側が上方に位置するように傾斜している。より具体的には、下面吸込口２１は、下吸込み面における室内機本体２の前面側の端部２１ａが下吸込み面における室内機本体２の後面側の端部２１ｂよりも上方に位置するように傾斜している。また、下面フィルタ２２は、下面フィルタ２２の下面吸込口２１との対向面における室内機本体２の前面側の端部２２ａが上記対向面における室内機本体２の後面側の端部２２ｂよりも上方に位置するように傾斜している。言い換えれば、下面フィルタ２２は、下面フィルタ２２における室内機本体２の前面側が上方に位置するように傾斜している。本実施形態にかかる室内機１は、この点で、第１の実施形態にかかる室内機１と異なっている。
【００３３】
室内機１は、下吸込み面および下面フィルタ２２が上述したように傾斜していることで、室内機１の真下に、家具あるいはカーテンレール等の障害物があったとしても、下面吸込口２１と障害物との隙間を確保し、風（空気）の通り路を広げることができる。また、下吸込み面および下面フィルタ２２が上述したように傾斜していることで、下面フィルタ２２が直線状に配置されているにも拘らず、室内機１の吸込みの速度ベクトルは、垂直方向（上方向）のみならず、水平方向にも構成される。このため、室内機１の吸込みの速度ベクトルがほぼ垂直方向（上方向）に構成されている場合と比較して、空気を吸込み易くなる。したがって、吹出し口３４から吹出される風量が増加させることができるため、例えば室内機１の下部に障害物があったとしても、空気の循環性能の低下を抑制することができる。さらに、風量を増加させられるため、吹出し口３４から吹出される空気を遠くまで届かせることができ、空調空間（空気清浄空間）における空気の清浄率を向上させることができる。
【００３４】
さらに、下吸込み面および下面フィルタ２２が上述したように傾斜していることで、図１０に示すように、下面吸込口２１における、傾斜方向の幅Ｌ２１（言い換えれば、下面吸込口２１における、室内機本体２の前面側の端部２１ａと後面側の端部２１ｂとの間の長さ）が、下面吸込口２１における、上記傾斜方向の水平面への投影幅Ｌ２１’（言い換えれば下面吸込口２１における、室内機本体２の前面側の端部２１ａと後面側の端部２１ｂとの間の水平方向の長さ）よりも大きくなる。つまり、Ｌ２１＞Ｌ２１’となる。
【００３５】
このため、下吸込み面および下面フィルタ２２が上述したように傾斜していることで、下吸込み面が水平に形成されており、下面フィルタ２２を水平に配置した場合と比較して、それぞれの下吸込み面の水平方向の幅（Ｌ２１’）が同じであっても、下吸込み面の開口幅（開口面積）を広げることができる。このため、上面吸込口１１から吸い込まれる空気の量を増加させることができる。したがって、吹出し口３４から吹出される風量を増加させることができるため、例えば室内機１の下部に障害物があったとしても、空気の循環性能の低下を抑制することができる。さらに、風量が増加するため、吹出し口３４から吹出される空気を遠くまで届かせることができ、空調空間（空気清浄空間）における空気の清浄率を向上させることができる。
【００３６】
なお、本実施形態において、下吸込み面の傾斜角度と下面フィルタ２２の傾斜角度とは、同じであることが望ましいが、異なっていても構わない。下吸込み面の傾斜角度および下面フィルタ２２の傾斜角度は、それぞれ大きければ大きいほど、上述した効果が大きくなることから望ましい。但し、上述したように下吸込み面および下面フィルタ２２を傾斜させるためには、第２の実施形態で説明したのと同様に、例えば、下面吸込口２１および下面フィルタ２２に隣接する部材（例えば送風ファン３１、熱交換器３２等）との隙間を小さくしたり、これら下面吸込口２１および下面フィルタ２２に隣接する部材の形状を変更したりする必要がある。あるいは、室内機本体２の寸法を大きくする必要がある。このため、室内機１を規定寸法内に収めるためには、下吸込み面の傾斜角度および下面フィルタ２２の傾斜角度は、それぞれ２０度以下に設定されていることが望ましい。また、本実施形態では下面吸込み面および下面フィルタ２２が、下面吸込み面および下面フィルタ２２における室外機の前面側が上方になるように傾斜させているが、下面吸込み面および下面フィルタ２２における室外機の前面側が下方になるように傾斜させてもよい。
【００３７】
本実施形態によれば、下吸込み面および下面フィルタ２２を傾斜させることにより、例えば上記第１の実施形態の室内機のように、下吸込み面が水平に形成されており、下面フィルタ２２を水平に配置した場合と比較して、下面吸込口２１における空気の吸込み量を増加させることができ、例えば室内機の下部に障害物があったとしても、空気の循環性能の低下を抑制することができる室内機を提供することができる。
【００３８】
（第４の実施形態）
次に、本発明の第４の実施形態を説明する。なお、下記において上記第１〜第３の実施形態と同様である点については説明を省略する。
【００３９】
図１１は、本実施形態にかかる室内機１の要部の構成を示す概念図である。本実施形態にかかる室内機１は、図１１に示すように、上面吸込口１１は、上吸込み面における室内機本体２の前面側の端部１１ａが上吸込み面における室内機本体２の後面側の端部１１ｂよりも下方に位置するように傾斜している。また、上面フィルタ１２は、上面フィルタ１２の上面吸込口１１との対向面における室内機本体２の前面側の端部１２ａが上記対向面における室内機本体２の後面側の端部１２ｂよりも下方に位置するように傾斜している。さらに、下面吸込口２１は、下吸込み面における室内機本体２の前面側の端部２１ａが下吸込み面における室内機本体２の後面側の端部２１ｂよりも上方に位置するように傾斜している。また、下面フィルタ２２は、下面フィルタ２２の下面吸込口２１との対向面における室内機本体２の前面側の端部２２ａが上記対向面における室内機本体２の後面側の端部２２ｂよりも上方に位置するように傾斜している。つまり、本実施形態にかかる室内機１は、第２の実施形態および第３の実施形態を組み合わせたものである。
【００４０】
本実施形態によれば、上吸込み面および上面フィルタ１２、ならびに下吸込み面および下面フィルタ２２を傾斜させることにより、例えば上記第２および第３の実施形態の空気調和機のように、上面フィルタ１２または下面フィルタ２２の一方を傾斜させて配置した場合と比較して、上面吸込口１１または下面吸込口２１から空気調和機に取り込まれる空気の吸込み量を増加させることができる。このため、上面吸込口１１および下面吸込口２１から吸い込まれる空気の量を増加させることができ、例えば室内機１の上部または下部に障害物があったとしても、空気の循環性能の低下を抑制することができる。
【００４１】
（第５の実施形態）
次に、本発明の第５の実施形態を説明する。なお、下記において上記第１〜第４の実施形態と同様である点については説明を省略する。
【００４２】
図１２は、本実施形態にかかる室内機１の要部の構成を示す概念図である。本実施形態にかかる室内機１は、図１２に示すように、上面吸込口１１は、上吸込み面における室内機本体２の前面側の端部１１ａが上吸込み面における室内機本体２の後面側の端部１１ｂよりも下方に位置するように傾斜しているとともに、上吸込み面が上方に凸になるように湾曲している。本実施形態にかかる室内機１は、この点で、第４の実施形態にかかる室内機１と異なっている。
【００４３】
本実施形態によれば、上吸込み面および上面フィルタ１２を上方に凸となるように湾曲させることにより、例えば上記第４の実施形態の空気調和機のように、上吸込み面および上面フィルタ１２を湾曲させていない場合と比較して、上面吸込口１１および上面フィルタ１２の面積を大きくすることができ、上面吸込口１１から空気調和機に取り込まれる空気の吸込み量を増加させることができる。このため、上面吸込口１１から吸い込まれる空気の量を増加させることができ、例えば室内機１の上部に障害物があったとしても、空気の循環性能の低下を抑制することができる。
【００４４】
（第６の実施形態）
次に、本発明の第６の実施形態を説明する。なお、下記において上記第１〜第５の実施形態と同様である点については説明を省略する。
【００４５】
図１３は、本実施形態にかかる室内機１の要部の構成を示す概念図である。本実施形態にかかる室内機１は、図１３に示すように、上面吸込口１１は、上吸込み面における室内機本体２の前面側の端部１１ａが上吸込み面における室内機本体２の後面側の端部１１ｂよりも下方に位置するように傾斜しているとともに、上吸込み面が下方に凸になるように湾曲している。本実施形態にかかる室内機１は、この点で、第４の実施形態にかかる室内機１と異なっている。
【００４６】
本実施形態によれば、上吸込み面および上面フィルタ１２を下方に凸となるように湾曲させることにより、例えば上記第４の実施形態の空気調和機のように、上吸込み面および上面フィルタ１２を湾曲させていない場合と比較して、上面吸込口１１および上面フィルタ１２の面積を大きくすることができ、上面吸込口１１から空気調和機に取り込まれる空気の吸込み量を増加させることができる。このため、上面吸込口１１から吸い込まれる空気の量を増加させることができ、例えば室内機１の上部に障害物があったとしても、空気の循環性能の低下を抑制することができる。
【００４７】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００４８】
１  室内機（空気調和機の室内機）、２  室内機本体、３  導風板、１１  上面吸込口、１２  上面フィルタ、２１  下面吸込口、２２  下面フィルタ、３１  送風機、３２  熱交換器、３３  イオン発生装置、３４  吹出し口
【図１】
2020041732.tif 000003
【図２】
2020041732.tif 000004
【図３】
2020041732.tif 000005
【図４】
2020041732.tif 000006
【図５】
2020041732.tif 000007
【図６】
2020041732.tif 000008
【図７】
2020041732.tif 000009
【図８】
2020041732.tif 000010
【図９】
2020041732.tif 000011
【図１０】
2020041732.tif 000012
【図１１】
2020041732.tif 000013
【図１２】
2020041732.tif 000014
【図１３】
2020041732.tif 000015